(57)【要約】【課題】畦の法面を整形する法面整畦部と、複数枚の羽根板を有し、畦の上面を整形する上面整畦部とを備える整畦体を装着した畦塗り機において、上面整畦部の羽根板によって畦上面から法面へかけての表面を連続的に、特に曲面に仕上げることを可能にする。【解決手段】法面整畦部２と、本体となる支持部材３１とその周面に接続される複数枚の羽根板３２を有し、法面整畦部２の軸方向先端部に連結されて法面整畦部２と共に回転する上面整畦部３とを備え、畦塗り機１０に装着される整畦体１において、  支持部材３１に接続される接続部３２ａと、接続部３２ａに連続し、上面整畦部３の回転方向下流側に張り出す張出部３２ｂとを有し、少なくとも張出部３２ｂの法面整畦部２側の端部に、上面整畦部３の回転方向上流側から下流側へかけて上面整畦部３側から法面整畦部２側へ接近する形状をし、法面整畦部２に重なる移行部３２ｄを形成する。【選択図】図１
2010119319.tif 000002
【特許請求の範囲】
【請求項１】
軸回りの回転により畦の法面を整形する法面整畦部と、本体となる支持部材とその周面に接続される複数枚の羽根板を有し、前記法面整畦部の軸方向先端部に連結されて法面整畦部と共に回転し、畦の上面を整形する上面整畦部とを備え、畦塗り機に装着される整畦体の前記上面整畦部を構成する羽根板であり、
前記支持部材に接続される接続部と、この接続部に連続し、前記上面整畦部の回転方向下流側に張り出す張出部とを有し、少なくともこの張出部の前記法面整畦部側の端部に、前記上面整畦部の回転方向上流側から下流側へかけて前記上面整畦部側から前記法面整畦部側へ接近する形状をし、前記法面整畦部に重なる移行部が形成されていることを特徴とする畦塗り機の整畦体用羽根板。
【請求項２】
前記移行部は前記法面整畦部の表面に接触したときに、表面側へ湾曲可能な弾性を有していることを特徴とする請求項１に記載の畦塗り機の整畦体用羽根板。
【請求項３】
前記移行部は前記上面整畦部の軸方向に、少なくとも前記法面整畦部側の端部が前記法面整畦部の表面に接触可能な長さを有していることを特徴とする請求項１、もしくは請求項２に記載の畦塗り機の整畦体用羽根板。
【請求項４】
前記張出部の周方向先端部に前記支持部材側へ湾曲、もしくは屈曲した返し部が形成されていることを特徴とする請求項１乃至請求項３のいずれかに記載の畦塗り機の整畦体用羽根板。
【請求項５】
前記張出部の周方向先端部における返し部の湾曲、もしくは屈曲の度合いは前記上面整畦部の軸方向先端側から法面整畦部側へかけて次第に小さくなっていることを特徴とする請求項４に記載の畦塗り機の整畦体用羽根板。
【請求項６】
前記張出部の周方向先端部における返し部は前記張出部から前記移行部付近まで形成されていることを特徴とする請求項５に記載の畦塗り機の整畦体用羽根板。
【請求項７】
請求項１乃至請求項６のいずれかに記載の複数枚の羽根板が全体として前記支持部材の表面を覆う状態で、前記支持部材の表面にその周方向に間隔を置いて接続され、前記上面整畦部が構成されていることを特徴とする畦塗り機の整畦体。
【発明の詳細な説明】
【技術分野】
【０００１】
本発明は畦を整形する整畦体を有する畦塗り機において、整畦体の内、畦の上面を整形する上面整畦部に、畦上面から法面へかけての表面を連続的に仕上げる機能を持たせた整畦体用羽根板、及びそれを使用した整畦体に関するものである。
【背景技術】
【０００２】
畦塗り機の整畦体は円錐台形状の法面整畦部とその軸方向先端に連結される円筒形状の上面整畦部を持ち、畦塗り機の走行時に軸回りに回転することにより前処理体が先行して緩めた旧畦の土を新たに法面と上面を有する畦として整形する。整畦体は畦塗り機の走行速度より速い速度で転動し得る回転速度が与えられ、スリップ回転することで、畦の法面と上面を転圧し、表層土を圧密させる機能を発揮する（特許文献１参照）。
【０００３】
整畦体がスリップ回転することで、法面整畦部と上面整畦部が畦の法面と上面の双方に圧力を加えるため、引き締まった畦を整形することができる。土は上面から作用する圧力によって法面側へ滑ろうとし、そのときの反力を法面整畦部が受けることができるため、上面整畦部によって上面から圧力を与えるだけでも畦に対する一定の締め固め効果を得ることはできる（特許文献２参照）。
【０００４】
但し、特許文献１、２では、整畦体が回転するときの落差や段差を利用して畦上面を叩くことにより土に動的な圧力を与えるため、表層土を乱す、あるいは飛散させる可能性がある。
【０００５】
これに対し、上面整畦部の外周に接続される、特許文献１のような複数枚の羽根板を屈曲させ、１枚の羽根板が２段階に畦上面に接触する形状にすることで、円筒面を有する羽根板を畦上面に接触させる場合より羽根板による土への加圧効果を高める方法がある（特許文献３参照）。
【０００６】
【特許文献１】特開２０００−３７１０６号公報（請求項１、段落００１３、００１９、図３、図４、図７〜図９）
【特許文献２】特開２００６−５５１２１号公報（請求項１、段落００２１〜００２２、図２、図３）
【特許文献３】特許第３９９７４７３号公報（請求項１、段落０００８、００１２〜００１４、図３、図６）
【発明の開示】
【発明が解決しようとする課題】
【０００７】
特許文献３のように屈曲した羽根板を畦上面に接触させる方法によれば、上面整畦部の軸方向を向いた凸条部を挟んで羽根板表面の向きが相違することで、凸条部がない連続した平面、もしくは曲面を有する羽根板を用いる場合より、軸回りの回転時に畦上面に接触する面積が小さくなる。この結果、畦上面に接触するときに土に与える圧力が大きくなり、加圧効果が高まる利点を有するとされている（段落００１２）。
【０００８】
特許文献３では法面（側面）整畦部にも周方向に互いに重なり、放射方向に凸条部が形成された羽根板を接続しているが、上面整畦部から法面整畦部へ移行する境界部分では双方の羽根板が不連続になるため、上面整畦部の羽根板と法面整畦部の羽根板のいずれかが畦上面と畦法面に同時に跨ることはない。従っていずれかの羽根板によって畦の上面と法面を同時に押圧することができず、畦上面と法面（側面）の境界部分を畦の幅方向に連続した表面に仕上げることが難しい。
【０００９】
特に上面整畦部の羽根板は法面整畦部より畦側に位置する関係で、畦上面への接触時には法面整畦部から畦法面側へ押圧されようとするが、上面整畦部の羽根板に軸方向の全長に亘って凸条部が形成されているため、法面整畦部から押圧されたときに曲面をなすように湾曲することはできない。
【００１０】
上面整畦部の羽根板が法面整畦部に押圧され、強制的に畦側へ湾曲しようとすれば、上面整畦部から法面整畦部までの範囲で、凸条部の角度が広がり、凸条部がなくなろうとする結果、羽根板の周方向下流側の縁が畦の表面（上面と法面）に接触するときに畦側を向く。このため、上面整畦部の転動に伴い、縁が畦表面から離脱しようとするときに、畦表面を蹴り、畦表面にその幅方向を向く線状の痕跡を残す可能性がある。また羽根板が軸方向の不特定の位置で屈曲することが想定されるため、その屈曲した部分が畦上面を押圧する結果、畦の表面に平面状の痕跡を残す可能性がある。
【００１１】
本発明は上記背景より、畦上面から法面へかけての表面を連続的に仕上げることを可能にする上面整畦部の羽根板とそれを使用した上面整畦部を有する整畦体を提案するものである。
【００１２】
請求項１に記載の発明の畦塗り機の整畦体用羽根板は、軸回りの回転により畦の法面を整形する法面整畦部と、本体となる支持部材とその周面に接続される複数枚の羽根板を有し、前記法面整畦部の軸方向先端部に連結されて法面整畦部と共に回転し、畦の上面を整形する上面整畦部とを備え、畦塗り機に装着される整畦体の前記上面整畦部を構成する羽根板であり、
前記支持部材に接続される接続部と、この接続部に連続し、前記上面整畦部の回転方向下流側に張り出す張出部とを有し、少なくともこの張出部の前記法面整畦部側の端部に、前記上面整畦部の回転方向上流側から下流側へかけて前記上面整畦部側から前記法面整畦部側へ接近する形状をし、前記法面整畦部に重なる移行部が形成されていることを構成要件とする。
【００１３】
「本体となる支持部材」とは、上面整畦部の本体を構成する支持部材のことを言う。支持部材自体は円柱状、多角柱状、円錐台状、角錐台状等に形成され、支持部材の周面（表面）が閉塞した形状であるか、開放した形状であるかは問われない。支持部材が開口のない板から構成される場合には周面が閉塞した形状になり、枠材から構成される場合には開放した形状になる。
【００１４】
「回転方向上流側」とは、上面整畦部が軸回りに回転するときに回転の向きの前方側（畦表面に先行して接触する側）を指す。「移行部が回転方向上流側から下流側へかけて上面整畦部側から法面整畦部側へ接近する形状をする」とは、回転方向上流側から下流側へかけて上面整畦部の軸方向の長さが大きくなる形状を成すことを言い、この形状から移行部は例えば三角形状や台形状等に形成され、少なくとも法面整畦部側の一部は法面整畦部の表面に畦側から重なる。法面整畦部が複数枚の羽根板から構成される場合には、移行部は羽根板に重なる。移行部の軸方向の長さは回転方向上流側から下流側へかけて次第に大きくなる（漸増する）場合と、段階的に大きくなる場合がある。
【００１５】
「法面整畦部に重なる」とは、移行部が法面整畦部の表面に直接重なる（接触する）場合と、空隙を置いて重なる場合があることを言う。移行部が法面整畦部の表面との間に空隙を置いて重なることは、上記のように移行部が、もしくは張出部から移行部へかけての部分が湾曲した状態で羽根板が製作されることにより実現される。この場合、上面整畦部の羽根板は整畦体の回転時に法面整畦部の羽根板から畦側へ押圧されることで、法面整畦部（の羽根板）の表面に重なって面で、もしくは線で接触する。従って整畦体が回転していない状態では、必ずしも上面整畦部の羽根板が法面整畦部の羽根板に接触している必要はない。
【００１６】
「少なくとも張出部の法面整畦部側の端部に移行部が形成される」とは、移行部が張出部の範囲に形成される場合と、接続部から張出部に亘って形成される場合があることを言う。上記のように移行部は回転方向上流側から下流側へかけて法面整畦部側へ接近する形状を成すから、全体的には張出部の範囲に占める割合が大きい。
【００１７】
法面整畦部が複数枚の羽根板から構成される場合には、その複数枚の羽根板は上面整畦部と同じく、回転に伴って畦上面に与える押圧力を増大させるために、回転方向上流側に位置する羽根板が下流側に位置する羽根板の上流側の端部を覆うように組み合わせられるから、２枚の羽根板が周方向に隣接する部分では、上流側に位置する羽根板が下流側に位置する羽根板の表面側に重なる。すなわち、上流側に位置する羽根板の表面が下流側に位置する羽根板の表面より上面整畦部側に位置し、上流側の羽根板の表面と下流側の羽根板の表面との間には段差が生ずる。この関係で、法面整畦部の上流側に位置する羽根板との干渉を回避する上では、上面整畦部の羽根板の移行部は張出部の範囲から法面整畦部側へ張り出すように形成されることが合理的である。
【００１８】
図１等に示すように上面整畦部を構成する１枚の羽根板の移行部が例えば法面整畦部を構成する２枚の羽根板に跨る場合には、移行部は法面整畦部の上流側の羽根板から下流側の羽根板に重なることになる。上記のように法面整畦部の２枚の羽根板間には段差があるから、移行部の法面整畦部側の縁（端部）が法面整畦部の上流側の羽根板表面上の点と下流側の羽根板表面上の点を結ぶ（通る）曲線を描くような形状をしていれば、移行部の法面整畦部側の縁（端部）は法面整畦部の２枚の羽根板の表面に同時に接触する状態になる。上面整畦部の法面整畦部側の縁（端部）が法面整畦部の表面に接触しながら、移行部の軸方向の長さが上流側から下流側へかけて次第に大きくなる場合には、移行部は三角形状になり、移行部の軸方向の長さが途中から一定になれば、移行部は台形状になる。
【００１９】
移行部はそれがない場合の、例えば長方形状の羽根板に付加的に接続されるか、一体となった形で連続し、上面整畦部から法面整畦部に跨ることで、畦に対しては上面から法面に跨り、連続して接触する。移行部が、整形状態が不連続になり易い畦上面から法面までの範囲に連続して接触することで、畦上面から法面へかけて表面を平滑に、連続的に仕上げることが可能になる。
【００２０】
特に移行部は整畦体の回転時に、法面整畦部の表面への接触により上面整畦部の軸方向の先端側から法面整畦部へかけての範囲で、法面整畦部の表面に沿い、上面整畦部の軸側が凸となり、畦側が凹となるように湾曲するため（図１、図６〜図８−（ａ））、畦の整形時には上面整畦部の羽根板は畦の上面から法面にかけての範囲を曲面に仕上げることになる（図８−（ｂ））。上面整畦部の支持部材に接続される接続部と移行部を除いた部分である張出部は上面整畦部の軸に対して軸側が凹となる曲面を形成するのに対し、張出部から移行部へかけての部分は上面整畦部の周方向を向いた平面に対して軸側が凸となる曲面を形成する（図６〜図１１）。
【００２１】
移行部を持たない羽根板の場合には、上面整畦部と法面整畦部が独立してそれぞれ畦の上面と法面を整形することから、完成する畦の上面と法面がそれぞれ平面になるため、その境界部分が多角柱状になり、境界部分に角が出ることになる。上面と法面の境界部分に突出した角部は農作業中に外力を受け易い上、上面からの荷重により、または角部への衝撃力の作用により崩壊し易い難点がある。これに対し、本発明では上面整畦部の移行部が法面整畦部に跨り、畦の上面と法面の境界部分を曲面に仕上げることで、角部の突出がなくなるため、崩壊に対する安定性が格段に向上する利点がある。
【００２２】
また移行部は法面整畦部の表面に重なることで、分離している上面整畦部と法面整畦部との境界部分の空隙を移行部が表面側から閉塞するため、この部分から上面整畦部の本体部である支持部材の内部、あるいは上面整畦部と法面整畦部との接続部分に土砂が進入することを抑制する働きをする。
【００２３】
移行部はまた、上面整畦部の一部であることで、上面整畦部の回転に伴って畦上面に接近し、接触するときに支持部材の周面に重なろうとするため、法面整畦部の羽根板に重なることと併せて、畦上面上の土を法面整畦部側へ流す働きをする。加えて法面整畦部の羽根板と共に、あるいは法面整畦部の羽根板の一部として畦上面と法面の境界部分における土を均し、畦の内部側へ圧密させる働きをする。結果的に畦上面と畦法面の境界部分における土が連続的に、均等に押圧されるため、不連続になる事態が回避される。
【００２４】
特許文献３では上面整畦部の羽根板の法面整畦部側の端部が上流側から下流側へかけて上面整畦部側から法面整畦部側へ接近する形状をしているようにも見えるが、上面整畦部の羽根板は法面整畦部の表面には重なっていないため、上面整畦部の羽根板が畦の上面から法面へかけての範囲で連続した曲面を形成することは困難である。仮に上面整畦部の羽根板端部の一部が法面整畦部の表面に接触することがあるとしても、畦の整形時（整畦体の回転時）に一部のみ、例えば下流側の一部のみが接触し、他の部分が接触しないとすれば、その一部に法面整畦部から過大な圧力が集中するため、羽根板の一部が早期に損傷し易い不利益がある。
【００２５】
これに対し、本発明の移行部は前記のように整畦体の回転時に、法面整畦部表面への接触により上面整畦部の軸方向中途位置から法面整畦部へかけての範囲で、法面整畦部の表面に沿い、上面整畦部の軸側が凸となり、畦側が凹となるように湾曲する（図９、図１１）。このことから、移行部における法面整畦部側の縁の全長において法面整畦部に接触可能であるため、移行部の縁の一部への過大な圧力の作用はなく、羽根板の損傷を早める要因は排除されている。
【００２６】
前記の通り、上面整畦部の羽根板が法面整畦部の表面に面で、もしくは線で接触することは、整畦体が回転している状態で得られればよく、少なくとも線で接触することで、移行部が法面整畦部に接触することにより法面整畦部から受ける反力は分散されるため、縁に圧力が集中することは回避され、損傷の可能性も低下している。
【００２７】
支持部材に接続される接続部から回転方向下流側に張り出す張出部は支持部材の表面形状に倣い、全体として表面側に凸（支持部材側に凹）の曲面（湾曲面）、もしくは屈曲面を形成するが、移行部は法面整畦部の表面に接触することで、張出部に対して逆向きに、すなわち支持部材とは反対側に湾曲、もしくは屈曲しようとする。この関係で、移行部と張出部の境界部分の曲げ剛性がその境界部分における湾曲を阻害しない程度でなければ、特許文献３と同様に羽根板軸方向の不特定の位置が屈曲する可能性がある。
【００２８】
羽根板がその材料特性や肉厚等に起因して張出部との境界位置で屈曲する可能性がある場合には、例えば移行部に、法面整畦部の表面に接触したときに、表面側へ湾曲可能な弾性を与えることで（請求項２）、移行部と張出部の境界部分における曲げ剛性を緩和することができる。ここでの「表面」は羽根板自身の表面を指し、上面整畦部の軸（支持部材）の反対側を指す。この結果、不特定位置での屈曲を回避し、屈曲した部分が畦上面を押圧し、畦表面に痕跡を残す事態の発生を回避することが可能になる。羽根板自体に例えば薄肉の鋼板その他の金属板、あるいは合成樹脂板等、曲げ剛性の低い材料を使用すれば、羽根板自身が表面側へ湾曲可能な弾性を保有する。
【００２９】
移行部を法面整畦部の表面への接触時に湾曲させる上では、必ずしも移行部に湾曲可能な弾性を与える必要はなく、羽根板の成形（成型）時に移行部が法面整畦部の表面に接触した状況を想定した曲面を移行部に与えておくことによっても、張出部から移行部へかけての範囲を湾曲させることが可能である（図９、図１１）。
【００３０】
「表面側へ湾曲可能な弾性」とは、羽根板の法面整畦部への接触によりその表面形状に倣って支持部材の反対側へ弾性変形し、その変形状態で、法面整畦部側へ復元しようとする復元力により法面整畦部の表面に密着している状態を言う。上面整畦部の羽根板は前記のように支持部材に重なる範囲では支持部材側が凹の曲面を形成するが、張出部と移行部を羽根板の周方向に見れば、張出部から移行部へかけての範囲は支持部材側に凸の曲面になる。
【００３１】
移行部に「表面側へ湾曲可能な弾性」を与えることは、具体的には移行部に、上面整畦部の軸方向に少なくとも法面整畦部側の端部が法面整畦部の表面に接触可能な長さを与えることで可能になる（請求項３）。移行部がその表面側へ湾曲可能な弾性を有することは、回転時の法面整畦部への接触により湾曲する場合と、羽根板の成型時に予め湾曲している場合を含む。
【００３２】
前記のように移行部は整畦体が回転していない状態で、法面整畦部の表面に接触する場合と接触しない場合があるが、移行部に法面整畦部の表面に接触可能な長さを与え、羽根板の軸方向の長さを大きくすることで、移行部を含めた羽根板全体の曲げ剛性が低下し、法面整畦部への接触により容易に曲げ変形することが可能であるため、強制的に曲げ変形させる場合のような不連続な屈曲部分の発生が回避される。
【００３３】
上面整畦部を構成する複数枚の羽根板は全体として支持部材の表面を覆う状態で、支持部材の表面にその周方向に間隔を置いて接続されるため（請求項７）、羽根板の張出部は支持部材の表面に接続される接続部から回転方向下流側へ周面の接線方向に張り出し、上面整畦部を軸方向に見れば、複数枚の羽根板は巴状に配列する。このため、上面整畦部の回転に伴い、羽根板が畦上面から離脱しようとするときには、羽根板が弾性を有することで、復元力によって畦上面の土を跳ね上げることが想定されるが、羽根板の張出部の周方向先端部に支持部材側へ湾曲、もしくは屈曲した返し部を形成することで（請求項４）、土の跳ね上げを抑制、もしくは防止することが可能である。
【００３４】
張出部の周方向先端部は上面整畦部の回転方向下流側の端部であり、張出部は支持部材側へ凹の曲面を形成し得ることから、「支持部材側へ湾曲、もしくは屈曲する」とは、周方向先端部をそれ以外の張出部の部分より大きい曲率で湾曲させる、もしくは屈曲させることを言い、返し部の形成によって周方向先端部は支持部材側を向く（図９、図１０）。
【００３５】
例えば羽根板の張出部の先端部がそれ以外の部分と同一の曲率である（羽根の張出部が先端部まで一様の曲面、もしくは平面である）場合、先端部が畦上面から離脱するときに、弾性変形状態から急激に復元するときの反力により畦上面の土を畦側へ弾くことが考えられる。
【００３６】
これに対し、張出部の周方向先端部に支持部材側へ湾曲等した返し部が形成されていることで、図５に鎖線で示すように先端部が離脱するまで畦上面に接触した状態を維持することができる。特に返し部の畦上面側の表面が凸の曲面を形成していることで、上面整畦部の回転に伴う畦上面からの離脱時には返し部の畦側の表面が畦上面に接触したまま、あるいは畦上面上を滑りながら畦上面から浮上しようとするため、土を弾くことなく均すことが可能である。
【００３７】
前記の通り、上面整畦部の羽根板は移行部において法面整畦部の表面に重なることで、畦上面から法面へかけて表面を平滑に、連続的に仕上げる働きをするため、法面整畦部に接触した状態にあるときには移行部、もしくは移行部から張出部へかけての部分が法面整畦部の表面に沿って一様に湾曲することが望ましい。従って張出部の周方向先端部に形成される返し部は移行部の湾曲状態への弾性変形を阻害しない形態に形成されることが適切である。一方、張出部の周方向先端部に返し部を形成した場合には、その先端部の周方向を向いた軸線回りの曲げ剛性が高まるため、周方向の軸線回りには羽根板を曲げ変形させにくくなる。
【００３８】
そこで、張出部の周方向先端部における返し部の湾曲、もしくは屈曲の度合いを上面整畦部の軸方向先端側から法面整畦部側へかけて次第に小さくすることにより（請求項５）、更には張出部の周方向先端部における返し部を張出部から移行部付近までに形成することにより（請求項６）、張出部先端部で土の均し効果を維持しながら、移行部を法面整畦部の表面に沿って自然に曲げ変形させることが可能になる。「軸方向先端側」とは、上面整畦部の軸方向両端部の内、法面整畦部に接続されない側の端部を指す。
【００３９】
「返し部の湾曲、もしくは屈曲の度合い」とは、返し部の曲率、もしくは張出部の表面（畦に接触する側の面）と返し部の表面（畦に接触する側の面）とのなす角度のことを言い、「度合いが小さくなる」とは、図９、図１０に示すように曲率、もしくは角度が次第に小さくなり、０に近づくことを言う。
【００４０】
返し部の湾曲等の度合いが上面整畦部の軸方向先端側から法面整畦部側へかけて次第に小さくなることで、移行部、または張出部の途中から移行部までの範囲で羽根板が曲げ変形を阻害する要因がなくなるため、移行部、または張出部から移行部にかけての範囲は法面整畦部の表面への接触によってその表面の曲面に沿って曲げ変形し易くなる。張出部から移行部までの中途位置で返し部の曲率等が０に近づけば、返し部の湾曲等による曲げ変形への影響が出なくなり、その範囲で羽根板が曲げ変形可能であるから、「移行部付近」とは、羽根板を軸方向に見たときの張出部の中途から移行部の中途までの区間を指す。
【００４１】
前記のように上面整畦部の複数枚の羽根板は全体として支持部材の表面を覆う状態で、支持部材の表面にその周方向に間隔を置いて接続されることにより上面整畦部を構成する。複数枚の羽根板が全体として支持部材を覆うとは、上面整畦部が回転するときに、常にいずれかの羽根板が畦上面に接触する状態になるように複数枚の羽根板が支持部材を覆うことを言う。支持部材が例えば多角柱状である場合には、支持部材の側面部分が畦上面に対向するときと稜線部分が畦上面に対向するときのいずれも、支持部材と畦上面との間に羽根板が介在する状態になることを言う。
【００４２】
具体的には羽根板が、多角柱状の場合の支持部材のいずれかの側面に重なって接続される接続部と、この接続部に連続し、上面整畦部の回転方向下流側に隣接する側面側へ張り出す張出部からなり、この張出部が上面整畦部の回転方向下流側に位置する羽根板の接続部を覆う状態になることにより、複数枚の羽根板が全体として支持部材を覆う形になる。回転方向下流側は上面整畦部が軸回りに回転するときに回転の向きの後方側であり、回転方向下流側の羽根板は畦上面には、相対的に上流側である回転の向きの前方側に位置する羽根板の後に接触する。前記の通り、支持部材は多角柱状である必要はないが、多角柱状の場合には、羽根板の接続部を支持部材に安定して接続し易い相性の良さがある。
【００４３】
支持部材が多角柱状の場合、いずれかの羽根板が畦上面に接触する状態となるように、羽根板が支持部材の表面を覆うことで、多角柱状の支持部材の稜線部分が畦上面を押圧するときと、側面部分が畦上面を押圧するときのいずれのときにも直接的には羽根板を介して畦上面を押圧することになる。
【００４４】
複数枚の羽根板が全体として支持部材を覆う状態は、上面整畦部が回転し、少なくとも１枚の羽根板が畦上面に接触しているときに得られればよいが、例えば羽根板が支持部材の外周側へ凸となる曲面を形成していれば、上面整畦部の回転中に羽根板が支持部材を覆う状態を得易い。羽根板が接続部と張出部からなる場合には、張出部が支持部材の外周側へ凸となる曲面を形成していればよい。
【００４５】
羽根板の張出部が接続部と同一の平面をなして張り出す場合には、上面整畦部の回転中に羽根板の全面がほぼ同時に畦上面に接触し易く、羽根板の一部が土と接触している時間が長くなるため、平面が畦上面の土を引き摺る可能性がある。これに対し、張出部が支持部材の外周側へ凸の曲面をなすことで、各羽根板が円筒面の一部に近い形状を形成し、羽根板の一部が土と接触している時間が短くなるため、羽根板は土を引き摺ることなく、スリップ回転により同一箇所を曲面によって連続的に均すことができることになる。
【００４６】
上面整畦部が例えば多角柱状の支持部材と支持部材の側面に重なって接続される弾性を有する羽根板から構成される場合には、畦上面に直接、接触する羽根板は支持部材の形状に倣って変形しながら畦上面を押圧する。一方、支持部材は断面上の中心位置を一定にしたまま回転するから、中心から多角柱の稜線までの距離と側面までの距離が相違するため、稜線部分が押圧するときと、側面部分が押圧するときとでは圧力に差が生じ、稜線部分から押圧するときに圧力が大きくなる。
【００４７】
従って上面整畦部は支持部材の稜線部分の外周側に位置する羽根板から畦上面を押圧するときと、側面部分の外周側に位置する羽根板から畦上面を押圧するときとで異なる圧力で畦上面を押圧するため、多角柱状の支持部材と組み合わせられることで、スリップ回転することにより同一地点を羽根板から２通りの圧力で加圧することが可能である。
【００４８】
同一地点を２通りの圧力で加圧できることで、畦上面を締め固める効果と畦を長さ方向に均等に仕上げる効果が得られ、土質、あるいは土の含水量の差異に関係なく、畦上面の表層土を適度に圧密させながら、均質に仕上げることが可能になる。含水量が多ければ、圧密により余剰水は自然に土から排除される。
【００４９】
ここで、多角柱状の支持部材の稜線部分（角部分）が直接、畦上面に接触する場合には、稜線部分から畦上面に与える圧力が側面部分からの圧力より大きいため、羽根板が均した土を稜線部分の両側に押し出すように作用し、畦上面に稜線部分の痕跡として溝が形成されることが想定される。このことは多角形状の表面を形成する特許文献３の凸条部にも言える。
【００５０】
これに対し、請求項７では多角柱状の支持部材と組み合わせられることで、複数枚の羽根板が全体として支持部材の表面を覆うことで、支持部材の稜線部分から畦上面を押圧するときに羽根板が圧力を分散させる作用を果たすため、稜線部分から畦上面を押圧し、締め固めながらその圧力を分散させ、土を均等に均すことが可能になっている。
【００５１】
特に上面整畦部の本体である支持部材が多角柱状の多面体である場合には、支持部材自体が半径方向及び周方向に高い剛性を有し、ねじり剛性も高く、半径方向と周方向への圧力に対して変形しにくい性質を有するため、支持部材自体が反力に対して高い安定性を保有する。このため、畦上面の押圧時に羽根板から十分な反力を与えることができる上、支持部材自体が変形しにくいことで、羽根板からの加圧効果が確実に発揮され、想定通りの圧力を与えることが可能である。
【００５２】
支持部材に必要とされる曲げ剛性とねじり剛性はそれを構成する板（プレート）の板厚を一定以上に設定することで確保されるが、支持部材の端面を閉塞する板や内接する板を付加することで剛性は格段に向上する。
【００５３】
更に多角柱状の場合、支持部材が多面体であることで、ボルト等を用いて羽根板を支持部材に接合する上で、支持部材との十分な接触面積を確保することができるため、羽根板自体の変形に対する安定性が向上し、損傷に対する耐久性が高まる。
【００５４】
特に羽根板の張出部がその周方向に、その羽根板が接続されている支持部材の側面から回転方向下流側の側面を超える長さを有している場合には、支持部材の稜線部分に２枚の羽根板が重なるため、羽根板が畦上面を均す上で、支持部材の稜線部分に１枚の羽根板が位置する場合より羽根板による畦上面への圧力を分散させることが可能であり、畦上面を平滑に仕上げる効果が向上する。
【００５５】
例えば多角柱状の支持部材の稜線部分が直接、畦上面に接触する場合には、稜線部分からの圧力が集中的に畦上面に作用するが、支持部材の稜線部分に２枚の羽根板が重なることで、稜線部分から畦上面に与える圧力の分散効果が増すことになる。また羽根板は弾性を有する（曲げ変形可能な）板であるから、２枚の羽根板が重なる場合には、畦上面に直接、接触する上面整畦部の表面の曲率が羽根板が１枚の場合より小さくなり、曲面が緩やかになるため、畦上面の均し効果も向上し、より平滑に仕上げることが可能である。
【００５６】
また複数枚の羽根板が全体として支持部材の表面を覆う状態にあることで、あるいは羽根板の張出部が上面整畦部の回転方向下流側に位置する羽根板の表面を覆う状態にあることで、上流側に位置する羽根板の下流側の部分が下流側に位置する羽根板の接合部を覆う（被覆する）状態が得られるため、羽根板の接合部分に土が入り込み、接合部分の損傷を早める可能性が低下し、損傷が抑制される。
【００５７】
羽根板は上面整畦部の使用状態では支持部材の外周に固定された状態にあるが、支持部材に対して着脱自在に接続されていれば、上面整畦部の清掃に加え、損傷、もしくは摩耗した羽根板の交換に対応可能になる。具体的には羽根板と支持部材のいずれか一方に係合部が突設され、他方にこの係合部が係合可能な被係合部が形成され、係合部と被係合部が互いに係合することにより、羽根板は支持部材の側面に着脱自在に接続される。
【００５８】
係合部は羽根板の支持部材側の面と、支持部材の羽根板側の面のいずれかに形成され、被係合部は係合部に対向する側の面に形成される。係合部と被係合部は互いに係合したときに、羽根板を支持部材に接続した状態を維持できる関係を持てばよく、例えば係合部が被係合部に係合したときに、係合部が羽根板の離脱の向き、すなわち支持部材の軸方向、もしくは径方向に被係合部に係合すればよい。係合部は後述の、羽根板を支持部材に押さえ付けるための接合部材に形成されることもあり、その場合、係合部は羽根板を貫通して支持部材側へ突出することにより羽根板に突設されることになる。この場合、係合部は支持部材に形成される被係合部に係合する。
【００５９】
羽根板の支持部材への接続が係合部と被係合部の係合によって行われることで、羽根板の支持部材への接続作業と分離作業が単純化され、上面整畦部の清掃や羽根板の交換作業の効率が向上する。
【００６０】
係合部が被係合部に係合するのみで、羽根板が支持部材への接合状態での安定性を確保できない場合には、羽根板は係合部において被係合部に係合した状態で、羽根板のいずれかの部分において直接、もしくは間接的に支持部材にボルト等により接合されることにより支持部材への接合状態での安定性が向上する。羽根板の支持部材への接合に上記した接合部材が使用される場合には、羽根板は間接的に支持部材にボルト等により接合されることになる。
【００６１】
係合部が被係合部に係合したときには、係合の離脱の向きに羽根板が支持部材から分離する可能性があるから、係合の離脱を拘束するように、例えば羽根板をその外周側からプレート等の接合部材により支持部材側へ押さえ付けた状態で、接合部材を支持部材にボルト接合すれば、係合の離脱が確実に防止される。接合部材は支持部材の側面に当接、もしくは側面と端面に当接する形をし、支持部材に対しては側面、もしくは端面にボルトが螺入することにより着脱自在に接合される。
【発明の効果】
【００６２】
上面整畦部の本体となる支持部材に接続される接続部と、接続部から回転方向下流側に張り出す張出部とを有し、少なくとも張出部の法面整畦部側の端部に、回転方向上流側から下流側へかけての範囲に上面整畦部側から法面整畦部側へ接近し、法面整畦部に重なる移行部を形成するため、移行部が整畦体の回転時に、法面整畦部の表面への接触により畦側が凹となるように羽根板が湾曲することができる。この結果、畦の上面から法面にかけての範囲を曲面に仕上げることができ、畦の上面から法面までの範囲に角部を突出させることがないため、崩壊に対する安定性が向上する。
【発明を実施するための最良の形態】
【００６３】
以下、図面を用いて本発明を実施するための最良の形態を説明する。
【００６４】
図１−（ａ）〜（ｄ）は軸回りの回転により、図４、図５に示す畦７０の法面を整形する円錐台形状の法面整畦部２と、本体となる支持部材３１とその周面に接続される複数枚の羽根板３２を有し、法面整畦部２の軸方向先端部に連結されて法面整畦部２と共に回転し、畦７０の上面（以下、畦上面）７０ａを整形する上面整畦部３とを備え、畦塗り機１０に装着される整畦体１の構成例を示す。
【００６５】
上面整畦部３を構成する羽根板３２は支持部材３１に接続される接続部３２ａと、この接続部３２ａに連続し、上面整畦部３の回転方向下流側に張り出す張出部３２ｂとを有し、少なくともこの張出部３２ｂの法面整畦部２側の端部に、上面整畦部３の回転方向上流側から下流側へかけて上面整畦部３側から法面整畦部２側へ接近する形状をし、法面整畦部２に重なる移行部３２ｄが形成される。羽根板３２は接続部３２ａと張出部３２ｂと移行部３２ｄの３領域に区分される。羽根板３２の詳細は後述する。
【００６６】
畦塗り機１０は基本的に図１３に示すようにトラクタの後部に３点リンクヒッチ機構を介して連結される、並列する連結フレーム１１、１１と、並列する連結フレーム１１、１１を互いに畦塗り機１０の幅方向に連結するヒッチフレーム１２と、ヒッチフレーム１２の後方に鉛直軸回りに揺動自在に連結されるオフセットフレーム１３から構成される。
【００６７】
オフセットフレーム１３の前進方向後方側の先端位置からは畦塗り機１０の幅方向に連結材１４が張り出し、この連結材１４とヒッチフレーム１２との間に、オフセットフレーム１３と平行にリンクフレーム１５が架設され、双方に回動自在に連結される。オフセットフレーム１３はこのリンクフレーム１５とヒッチフレーム１２、及び連結材１４によって平行リンクを構成し、ヒッチフレーム１２とオフセットフレーム１３の先端位置との間に架設され、双方に連結されるシリンダ１６の伸縮によってヒッチフレーム１２に対してオフセット自在になる。
【００６８】
ヒッチフレーム１２のトラクタ側にはトラクタのＰＴＯ軸にユニバーサルジョイント等を介して連結されるギアボックス１７が固定され、ＰＴＯ軸からの動力はギアボックス１７の入力軸に伝達され、入力軸からギアボックス１７内の駆動軸を経てオフセットフレーム１３の内部を通じ、オフセットフレーム１３の先端に軸支された従動軸１８に伝達される。
【００６９】
畦塗り機１０の作業機５０は図１４に示すように主にオフセットフレーム１３先端の従動軸１８と同軸で、従動軸１８から動力を伝達される伝動軸５５を有する駆動ボックス５１に連結される整畦体１と、駆動ボックス５１から整畦体１に対して進行方向前方側へ張り出し、整畦体１の整形に先だって旧畦の土砂を緩める前処理体５２から構成される。前処理体５２は駆動ボックス５１から動力を受けて回転する畦切り爪５２ａを有し、作業機５０の走行中、整畦体１の前方位置で畦切り爪５２ａが旧畦の土砂を切り崩して緩めることで、整畦体１による整形の準備をする。
【００７０】
図１３に示すように連結材１４の、リンクフレーム１５との連結部分には整畦体１側へ張り出すアーム５３が連結され、このアーム５３と、駆動ボックス５１との間に、作業機５０を畦塗り機１０に対して揺動させる作業機用シリンダ５４が架設され、双方に連結される。作業機５０はこの作業機用シリンダ５４の伸縮によって作業姿勢の制御を行う。
【００７１】
駆動ボックス４１内には前記伝動軸５５から動力が伝達される回転軸が配置され、この回転軸に整畦体１の法面整畦部２が連結される。法面整畦部２は回転軸の回転によって回転し、同時に上面整畦部３が回転する。
【００７２】
法面整畦部２は例えば図２に示すように複数枚の扇形をした羽根板２１を半径方向の直線部分で互いに連結することにより全体として円錐台形状に形成され、その先端位置である中心部には複数枚の羽根板２１を連結する際の位置決めの基準になり、上面整畦部３と連結されるための連結部２２が配置される。連結部２２は法面整畦部２から上面整畦部３側へ突出した状態にある。
【００７３】
図面では図４、図５に示すように法面整畦部２の回転に伴い、回転方向上流側から下流側へかけて畦７０の法面（以下、畦法面）７０ｂを押圧する力が次第に増加するよう、相対的に上流側に位置する羽根板２１の、下流側の羽根板２１側の端部を下流側に位置する羽根板２１に上面整畦部３側から重ねて複数枚の羽根板２１を組み合わせているが、必ずしもその必要はない。畦７０の断面形状を図８−（ｂ）に示す。隣接する羽根板２１、２１が重なる場合も、重ならない場合も隣接する羽根板２１、２１間には段差が形成されない場合もある。隣接する羽根板２１、２１間に段差が形成される場合は、後述のように移行部３２ｄの形状に関係（影響）する。
【００７４】
図示する場合、隣接する羽根板２１、２１は連結部２２の羽根板２１側に形成されている保持部２２ｂに重なって支持され、両羽根板２１、２１間に段差が形成された状態で、互いに溶接等により接合される。この場合、両羽根板２１、２１間に段差が形成されることで、各羽根板２１の表面と畦法面７０ｂとの間の距離は上流側から下流側へかけて次第に小さくなるため、各羽根板２１の畦側の表面が畦法面７０ｂを押圧する力は法面整畦部２の回転により上流側から下流側へかけて次第に大きくなり、畦法面７０ｂを締め固める効果がある。
【００７５】
連結部２２の上面整畦部３側の端面には上面整畦部３とのボルト７等による連結のためのねじ孔２２ａが形成されており、上面整畦部３は図３−（ａ）に示すようにそれを軸方向に貫通するボルト７がねじ孔２２ａに螺入することによって連結部２２に連結される。ボルト７は上面整畦部３の全長を貫通する必要はなく、上面整畦部３の先端側の端面からボルト７が単に挿通する挿通孔を形成し、その先の法面整畦部２寄りにボルト７が螺合するねじ孔を形成しておくことで、ボルト７の長さを短縮することができる。
【００７６】
上面整畦部３の連結部２２への連結にボルト７を使用する場合には、上面整畦部３を交換可能に連結することができる利点があるが、上面整畦部３と連結部２２との連結はこの他、上面整畦部３と連結部２２のいずれか一方の外周面に雄ねじを形成し、他方の内周面に雌ねじを形成しておくことで、上面整畦部３を軸回りに回転させ、直接、連結部２２に交換可能に連結することもできる。
【００７７】
図１−（ａ）〜（ｄ）は前記の通り、法面整畦部２と上面整畦部３を連結して構成され、畦塗り機１０に装着される整畦体１の構成例を、図４は上面整畦部３の軸方向先端側の端面を示す。上面整畦部３は法面整畦部２の連結部２２に連結される支持部材３１と、支持部材３１の周方向（回転方向）に間隔を置いて接続される複数枚の羽根板３２から構成される。図１−（ａ）、（ｂ）の一点鎖線は上面整畦部３、すなわち整畦体１の回転中心を示し、その回りの矢印は回転の向きを示す。
【００７８】
図４に示すように上面整畦部３の本体を構成する支持部材３１の本体部３１ａは基本的に１枚の、もしくは複数枚のプレートを折り曲げ加工することにより、あるいは複数枚のプレートを組み立て、互いに溶接することにより多角柱状、円柱状、角錐台状、円錐台状等の形状に形成される。この他、多角柱、多角錐台の稜線、または円柱、円錐台の母線に相当する部位に枠材を配置する骨組み構造により支持部材３１の本体部３１ａが形成される場合もある。これらの場合、軸方向両端の底面に相当する部分には、面材が配置されることもあれば、角錐台形の場合に、底面の各辺に相当する部分に枠材が配置されることもある。
【００７９】
本体部３１ａの軸方向両側の端部、または端部と軸方向中間部には本体部３１ａが中空であることによる剛性不足を補うためと、羽根板３２を接合するための補剛板３１ｂが配置され、本体部３１ａに接合される。図面では図３−（ａ）に示すように上面整畦部３の軸方向先端側の端面と法面整畦部２寄りの中間部に補剛板３１ｂを配置し、端面に配置された補剛板３１ｂを、羽根板３２を固定するために利用している。
【００８０】
補剛板３１ｂは本体部３１ａに内接した状態で、または本体部３１ａの端面に接触した状態で、溶接やボルト接合等の手段により本体部３１ａに接合される。プレートからなる本体部３１ａの側面部分は剛性を確保する上では盲板が望ましいが、軽量化を図る目的で側面部分の一部に開口が形成されることもある。
【００８１】
補剛板３１ｂには上面整畦部３を法面整畦部２の連結部２２に連結するためのボルト７が挿通する挿通孔３１ｃが形成される。補剛板３１ｂにはまた、接合部材４を用いて羽根板３２を補剛板３１ｂに当接させ、その状態で接合部材４を貫通するボルト５により補剛板３１ｂ接合するためのねじ孔３１ｄが形成されている。図４ではねじ孔３１ｄを断面上の中心に関して円弧状の長孔に形成することで、ボルト７の、連結部２２のねじ孔２２ａへの位置調整を行えるようにしている。
【００８２】
図４は上面整畦部３の支持部材３１の断面が正八角形である場合を示しているが、支持部材３１の断面形状は必ずしも正多角形である必要はない。支持部材３１の断面が多角形状であれば、支持部材３１（多角形）の稜線部分と側面部分で畦上面７０ａを押圧することができるから、図５に示すように各側面の幅が相違する多角形であることもある。但し、支持部材３１が正多角形であれば、上面整畦部３の回転時に一定の時間的間隔で稜線部分と側面部分から畦上面７０ａを押圧することができる。
【００８３】
羽根板３２は畦上面７０ａに接触したときに支持部材３１の外形に沿って弾性変形し、畦上面７０ａから離脱するにつれて元の形状に復元する弾性を有するポリプロピレン、ポリエチレン、ポリ塩化ビニル等の合成樹脂や鋼板等の金属材料等から成形され、支持部材３１の側面部分に着脱自在に接合される。羽根板３２は予め支持部材３１の外周に接続された状態で、支持部材３１の外周面に沿って表面側に凸となる曲面を形成するように成型されている場合もあり、その場合は畦上面７０ａに接触したときの弾性変形量は僅かになる。
【００８４】
図面では羽根板３２の支持部材３１への接続状態での安定性を確保する（羽根板３２を支持部材３１から離脱させない）ために、羽根板３２の外周側に上記した接合部材４を配置し、接合部材４を支持部材３１に接合することにより羽根板３２を支持部材３１に着脱自在に接続している。図面では特に接合部材４に、羽根板３２を支持部材３１（本体部３１ａ）の側面に押さえ付けた状態で、支持部材３１に接続しながら、支持部材３１の端面に接合されている補剛板３１ｂに接合する機能を持たせている。
【００８５】
図面ではまた、羽根板３２と支持部材３１との着脱自在な接続作業を単純にするために、いずれか一方に、他方に係合する係合部を形成し、他方に係合部が係合する被係合部を形成している。上記のように図面では羽根板３２の支持部材３１への接続を補うために接合部材４を使用していることから、接合部材４に係合部４３を形成し、支持部材３１に被係合部３３を形成しているが、接合部材４の係合部４３が羽根板３２を貫通し、支持部材３１側へ突出することで、羽根板３２に係合部４３を突設したことと同等になる。
【００８６】
接合部材４に係合部４３を形成した場合、図３−（ａ）に示すように接合部材４は羽根板３２の表面に重なる当接部４１と、支持部材３１の端面に接合されている補剛板３１ｂに重なる接合部４２の２部分からなり、当接部４１の羽根板３２側の面と、支持部材３１（本体部３１ａ）の側面のいずれか一方に、他方に係合する係合部４３が突設される。図３−（ｂ）は（ａ）の係合部４３部分の拡大図である。ここでは上記のように接合部材４の当接部４１に係合部４３を形成し、支持部材３１の側面に被係合部３３を形成しているが、逆の場合もある。
【００８７】
接合部材４に係合部４３を形成したことに伴い、支持部材３１（本体部３１ａ）の側面には係合部４３が係合する被係合部３３が形成される。係合部を支持部材３１に形成した場合には、羽根板３２、もしくは接合部材４に被係合部が形成される。また接合部材４に係合部４３を形成したことに伴い、図３−（ｂ）に示すように羽根板３２の接続部３２ａには係合部４３が挿通する挿通孔３２ｆが形成されるが、係合部４３は羽根板３２の支持部材３１側の面に突設されることもあり、その場合には、接合部材４の当接部４１は羽根板３２を単純に支持部材３１に押さえ付ける働きをする。
【００８８】
係合部４３は軸部４３ａの先端側（支持部材３１側）に頭部４３ｂを有するピン形の形状をし、被係合部３３は係合部４３の頭部４３ｂが挿通可能な挿通孔３３ａと、この挿通孔３３ａに連続し、係合部４３の軸部４３ａが移動（スライド）自在な長孔状の溝３３ｂを有する開口状の形状を有する。係合部４３には頭部４３ｂを有するピンやボルト等が使用される。
【００８９】
接合部材４の支持部材３１（本体部３１ａ）への装着時には、係合部４３の頭部４３ｂが羽根板３２に形成されている挿通孔３２ｆを貫通し、被係合部３３の挿通孔３３ａを貫通して軸部４３ａまで挿通する。その状態で軸部４３ａが被係合部３３の溝３３ｂに沿って移動（スライド）することで、頭部４３ｂが溝３３ｂに、軸方向一方側と径方向外周側へ係合した状態になり、接合部材４が支持部材３１に接続された状態になる。接合部材４の離脱時には、接続時とは逆に、軸部４３ａを溝３３ｂに沿って移動（スライド）させ、頭部４３ｂを挿通孔３３ａから抜き出すことにより支持部材３１から外される。
【００９０】
接合部材４の接合部４２には接合部材４を補剛板３１ｂに接合するためのボルト５が挿通する挿通孔４２ａが形成され、接合部材４はこの接合部４２の挿通孔４２ａを貫通し、補剛板３１ｂに螺入するボルト５によって補剛板３１ｂに接合される。
【００９１】
接合部材４の当接部４１が羽根板３２を支持部材３１の側面に押さえ付けた状態で、接合部４２が支持部材３１の補剛板３１ｂに接合されることで、羽根板３２が支持部材３３１に一体化し、上面整畦部３が形成される。支持部材３１に羽根板３２が一体化した上面整畦部３は図３−（ａ）に示すように前記した法面整畦部２の連結部２２に直接、連結される芯材６にボルト７により接合されることにより法面整畦部２と一体化する。
【００９２】
芯材６は円筒形の本体６１の内周側に軸方向に間隔を置いて配置された、剛性を確保するための複数枚の、挿通孔を有するフランジ６２が接合されて形成される。土質条件によってはこの芯材６を上面整畦部３として使用することも可能である。上面整畦部３は支持部材３１の端面に接合されている補剛板３１ｂと芯材６のフランジ６２を貫通し、法面整畦部２の連結部２２に形成されているねじ孔２２ａに到達するボルト７がねじ孔２２ａに螺入することにより芯材６に接合される。図３−（ｃ）は図３−（ａ）に示す上面整畦部３の補剛板３１３ｂ側の端面を示す。図１−（ａ）〜（ｄ）は法面整畦部２に上面整畦部３が一体化した整畦体１の外観を示している。
【００９３】
上面整畦部３の羽根板３２は図４に示すように支持部材３１のいずれかの側面に重なって接続される接続部３２ａと、これに連続し、支持部材３１の回転方向下流側に隣接する側面（羽根板３２）側へ張り出す張出部３２ｂからなり、張出部３２ｂはその幅方向に上面整畦部３の回転方向下流側に位置する羽根板３２の接続部３２ａを覆う長さを有する。
【００９４】
具体的には羽根板３２の張出部３２ｂはその周方向に、その羽根板３２が接続されている支持部材３１の側面から回転方向下流側に隣接する側面を超える長さを有している。すなわち羽根板３２の張出部３２ｂの下流側の端部はその側に隣接する側面の稜線部分を超え、更に隣接する側面にまで跨る長さを有し、上面整畦部３の転動時には図５に示すように２枚の羽根板３２が重なった状態で、進行方向前方に存在する畦上面７０ａ上の土を羽根板３２の下に巻き込みながら、スリップ回転する。
【００９５】
図５は正多角形でない支持部材３１を持つ上面整畦部３が畦上面７０ａ上を転動しているときの様子を示す。羽根板３２の張出部３２ｂの下流側の端部がその側に隣接する側面の稜線部分を超える長さを有することで、羽根板３２が畦上面７０ａを押圧するときには、複数枚の、図面では２枚の羽根板３２が重なった状態になり、支持部材３１からの圧力は複数枚の羽根板３２を介して畦上面７０ａに伝達されることになる。
【００９６】
羽根板３２は接続部３２ａにおいて上記した接合部材４によって支持部材３１の側面に重なり、断面上の中心側へ押し付けられた状態で支持部材３１に接合される。接続部３２ａは面で支持部材３１の平面をなす側面に重なった状態で接合されることで、接合部材４によって支持部材３１に拘束された状態にある。この状態で、張出部３２ｂは支持部材３１の外周側へ凸となる円筒面等の曲面を形成し、支持部材３１に対して曲げ（弾性）変形可能な状態にある。
【００９７】
張出部３２ｂが支持部材３１の外周側へ凸となる曲面を形成することで、張出部３２ｂは畦上面７０ａに接触したときに、支持部材３１の中心からその稜線までの距離を半径とする円弧面を有する円筒に近い形状になる。
【００９８】
前記のように張出部３２ｂが周方向に回転方向下流側に隣接する側面を超える長さを有することと、支持部材３１の外周側へ凸となって湾曲することで、上面整畦部３の転動時には２枚の羽根板３２が重なって土を羽根板３２の下に巻き込み始め、羽根板３２の回転方向下流側に先端部３２ｃが畦上面７０ａから離脱するまで、土を曲面で均すことになる。このとき、上面整畦部３はスリップ回転するため、畦上面７０ａは圧密され、表面は平滑に仕上げられる。
【００９９】
上面整畦部３の転動時には上面整畦部３の断面上の中心位置が一定に保たれることで、支持部材３１の稜線部分が畦上面７０ａに接近し、押圧しようとするときと、側面部分が接近し、押圧しようとするときとでは、羽根板３２からの押圧力に差が生じ、稜線部分が押圧しようとするときの圧力が大きくなる。
【０１００】
この関係で、支持部材３１の稜線部分から羽根板３２を介して畦上面７０ａを押圧するときに土をより大きい圧力で加圧し、側面部分から羽根板３２を介して押圧するときにはそれより小さい圧力で加圧するため、上面整畦部３は２通りの圧力で畦上面７０ａを圧密することができる。また上面整畦部３は移動速度より大きい速度で畦上面７０ａ上を転動（スリップ回転）するため、畦上面７０ａを下方へ加圧しながら、表面を均質に均すことになる。
【０１０１】
図面ではまた、羽根板３２の張出部３２ｂの周方向先端部３２ｃ、すなわち回転方向下流側の先端部３２ｃとそれ以外の張出部３２ｂと境界部分に返し部３２ｅを形成し、この返し部３２ｅを張出部３２ｂより大きい曲率で支持部材３１側へ湾曲、もしくは屈曲させることで、図５に示すように張出部３２ｂの周方向先端部３２ｃが畦上面７０ａから離脱するときに、この先端部３２ｃが土を跳ね上げないようにしている。
【０１０２】
張出部３２ｂは畦上面７０ａから離脱する直前には強制的に曲げ変形しているから、例えば張出部３２ｂが周方向に一様の曲率を有している場合には、離脱しようとするときに、先端部３２ｃが復元力によって急激に畦上面７０ａから跳ね上がることが想定される。これに対し、返し部３２ｅの形成により張出部３２ｂの先端部３２ｃが他の部分より大きい曲率で湾曲等することで、先端部３２ｃが畦上面７０ａに接触したまま、あるいは畦上面上を滑りながら畦上面から浮上しようとするため、土を跳ね上げることがなくなる。
【０１０３】
羽根板３２の張出部３２ｂの法面整畦部２側の端部には、図１に示すように上面整畦部３の回転方向上流側から下流側へかけて上面整畦部３側から法面整畦部２側へ接近する形状をした移行部３２ｄが形成されている。移行部３２ｄは主に張出部３２ｂの端部位置から形成されるが、接続部３２ａと張出部３２ｂに亘って形成されることもある。
【０１０４】
法面整畦部２を構成する複数枚の羽根板２１はその回転方向下流側に位置する羽根板２１が上流側に位置する羽根板２１の背面に重なって組み合わせられることから、相対的に上流側に位置する羽根板２１が上面整畦部３寄りに位置する。この関係で、法面整畦部２の相対的に上流側に位置する羽根板２１との衝突を回避するために、移行部３２ｄは上面整畦部３の回転方向上流側から下流側へかけて上面整畦部３の軸方向の長さが大きくなり、図１−（ａ）〜（ｄ）に示すように三角形状、台形状、もしくは翼状、あるいはこれらに近い形状に形成される。
【０１０５】
図１−（ａ）、（ｂ）、（ｄ）中の破線は羽根板３２の張出部３２ｂと移行部３２ｄの境界位置を示すが、移行部３２ｄが張出部３２ｂに連続し、張出部３２ｂの一部として一体的に形成されている場合には、破線は実際には表れない。移行部３２ｄは張出部３２ｂとは別体の部品を張出部３２ｂに連結することによっても形成される。移行部３２ｄは図示するように法面整畦部２の羽根板２１に上面整畦部３側、すなわち畦７０側から重なり、例えば三角形状、もしくは台形状等の場合には、めくれを防止するために角部が落とされ、移行部３２ｄの外形線は曲線状になる。
【０１０６】
上面整畦部３の回転に伴って羽根板３２の張出部３２ｂが畦上面７０ａに接触し、畦上面７０ａに押されて支持部材３１の周面（側面部分と稜線部分）に重なるときに、移行部３２ｄも畦上面７０ａに押されるため、法面整畦部２の羽根板２１の表面に重なろうとする。この結果、図８−（ａ）に示すように張出部３２ｂから移行部３２ｄへかけての範囲が羽根板２１の表面に倣って湾曲しようとするため、湾曲した張出部３２ｂから移行部３２ｄへかけての範囲が畦法面７０ｂと畦上面７０ａを畦７０の内部側へ押圧し、畦法面７０ｂから畦上面７０ａへかけての部分が（ｂ）に示すように曲面状に整形される。
【０１０７】
このとき、畦上面７０ａ上の土は法面整畦部２側へ流されるため、畦上面７０ａと法面の境界部分における土は均等な圧力で均され、畦７０の内部側へ圧密させられることになる。畦上面７０ａと法面の境界部分における土が均されることで、畦７０の上面７０ａと法面との境界（面）が不連続になることがなくなる。図８−（ａ）は図６、図７に示す上面整畦部３の羽根板３１と同じく、張出部３２ｂから移行部３２ｄへかけての範囲が予め湾曲している羽根板３１を示しているが、弾性変形によって湾曲する場合も図８−（ａ）と同様の形状に湾曲し、図８−（ｂ）に示す畦７０を整形する。
【０１０８】
図６は図１−（ａ）に示す整畦体１を上面整畦部３の中心寄りの位置から見た様子を、図７は図６における上面整畦部３と法面整畦部２との境界部分を拡大した様子を示す。ここに示すように上面整畦部３の羽根板３２は法面整畦部２の２枚の羽根板２１、２１に跨った状態で、移行部３２ｄにおいて羽根板２１に重なるから、移行部３２ｄの法面整畦部２側の縁（端部）は上流側の羽根板２１の表面と下流側の羽根板２１の表面に接触するか、接触し得る状態になる。
【０１０９】
移行部３２ｄの縁が羽根板２１の表面に接触し得る状態は、移行部３２ｄが法面整畦部２の表面に沿った曲面形状に形成された状態で、羽根板３２が成型されている場合に得られる。移行部３２ｄは法面整畦部２への接触によって曲面形状に弾性変形することもあり、その場合、羽根板３２は必ずしも曲面を形成した状態で成型される必要はなく、平坦な板状に成型されていればよい。
【０１１０】
羽根板３２は少なくとも移行部３２ｄが整畦体１の回転時（使用時）に、畦７０と法面整畦部２との間に挟まれることで、法面整畦部２の表面に接触すればよく、そのときに張出部３２ｃから移行部３２ｄへかけての範囲が畦７０側へ凹の曲面を形成すればよい。張出部３２ｃから移行部３２ｄへかけての範囲が畦７０を押圧するときの状態を図８−（ａ）に示す。
【０１１１】
ここに示すように羽根板３２の移行部３２ｄは整畦体１の回転に伴う法面整畦部２への接触により畦７０側が凹となる曲面を形成するため、図８−（ｂ）に示すように畦７０の上面７０ａから法面７０ｂにかけての範囲（肩部）は曲面になる。この曲面は上面整畦部３の周方向に配列する複数枚の羽根板３２が連続的に畦７０を押圧することで、畦７０の長さ方向に連続することになる。
【０１１２】
図９、図１１はそれぞれ一枚の羽根板３２の表面（畦７０側の面）と背面（支持部材３１側の面）の様子を示す。ここでは支持部材３１の軸方向の長さと同等程度の長さを有する平坦な接続部３２ａと、接続部３２ａから周方向に張り出し、支持部材３１側へ湾曲した張出部３２ｂと、張出部３２ｂ、もしくは接続部３２ａと張出部３２ｂから法面整畦部２側へ突出する移行部３２ｄを有する形態で、例えばポリエチレン等から射出成型等によって製作された羽根板３２を示す。移行部３２ｄは上面整畦部３側が凸（畦７０側が凹）となる曲面を形成している。
【０１１３】
図９中、移行部３２ｄ側にある、支持部材３１の周方向の破線は移行部３２ｄとそれ以外の部分との境界を便宜的に示しているが、ここでは移行部３２ｄを接続部３２ａから張出部３２ｂまでの範囲に亘って法面整畦部２側へ形成している。接続部３２ａの周方向の幅は支持部材３１の表面に重なって接続されるのに十分な大きさを持てばよいため、張出部３２ｂの幅より小さいが、接続部３２ａの幅の範囲から移行部３２ｄを形成することで、法面整畦部２との接触面積を稼ぎ、変形時に法面整畦部２から受ける反力を分散させる結果、移行部３２ｄの曲げ変形を生じさせ易くする利点を有する。
【０１１４】
図９では特に、接続部３２ａから張出部３２ｂの周方向中途までの区間における移行部３２ｄの法面整畦部２側の縁を平面上、直線状に形成し、張出部３２ｂの周方向中途から先端部３２ｃまでの区間の縁を法面整畦部２の羽根板２１の表面形状（曲面）に沿った曲線状に形成することにより、移行部３２ｄの縁が全長に亘って法面整畦部２の羽根板２１の表面に接触し得るようにしている。
【０１１５】
図９の例では張出部３２ｂの回転方向下流側の先端部に支持部材３１側へ湾曲、もしくは屈曲した返し部３２ｅが形成されているが、この返し部３２ｅの湾曲、もしくは屈曲の度合い（曲率、もしくは角度）は上面整畦部３の軸方向先端側から法面整畦部２側へかけて次第に小さくなっており、張出部３２ｂから移行部３２ｄ付近まで形成されている。図９のＣ−Ｃ線、Ｂ−Ｂ線、Ａ−Ａ線の断面を図１０−（ａ）〜（ｃ）に示すが、返し部３２ｅの曲率、もしくは角度は上面整畦部３の軸方向先端寄りで大きく、法面整畦部２寄りで小さくなり、移行部３２ｄの範囲ではその範囲で移行部３２ｄが支持部材３１の反対側へ湾曲可能なように、ほとんど０に近い大きさになっている。
【０１１６】
移行部３２ｄの範囲において返し部３２ｅの曲率、もしくは角度が０に近いことで、その範囲では返し部３２ｄの存在が張出部３２ｂから移行部３２ｄへかけての範囲の曲げ変形を阻害する要因になることがないため、羽根板３２が法面整畦部２への接触により弾性変形する場合には、その変形箇所に弾性変形が抵抗なく生ずることが可能になっている。
【０１１７】
図１２−（ａ）〜（ｅ）は図１に示す上面整畦部３が畦上面７０ａ上を転動し、１回転するときの様子を示す。上面整畦部３は畦上面７０ａから断面上の中心までの高さを一定に保持したまま回転する。上面整畦部３の断面上の中心位置は図１、図５に示すように支持部材３１の稜線部分と畦上面７０ａとの間に２枚の羽根板３２が挟み込まれる程度の高さに設定される。
【０１１８】
図１２−（ａ）は上面整畦部３を構成する支持部材３１の側面部分が畦上面７０ａ側を向いている状況を示す。このとき、支持部材３１の側面部分は畦上面７０ａから浮いた状態にあり、その側面部分に固定された羽根板３２の接続部３２ａの外周側に、その上流側の側面に固定された羽根板３２の張出部３２ｂが重なり、畦上面７０ａを適度の圧力で押圧する。
【０１１９】
支持部材３１の側面部分と畦上面７０ａとの間には間隔があるから、支持部材３１に関して外周側に位置する羽根板３２の張出部３２ｂは畦上面７０ａとの間で外周側へ凸の曲面状に弾性変形しながら土を押圧する。この状況では畦上面７０ａ側を向いた支持部材３１の側面部分の外周側に張出部３２ｂが位置する羽根板３２の先端部３２ｃは下流側の羽根板３２の張出部３２ｂに接触している。このとき、先端部３２ｃは湾曲等していることで、先端が下流側の羽根板３２の張出部３２ｂに当接し、その先端部３２ｃを有する羽根板３２自身を下流側の羽根板３２から突き放そうとするため、その先端部３２ｃを有する羽根板３２の張出部３２ｂが円弧面等、外周側へ凸の曲面状に弾性変形させることに寄与している。
【０１２０】
図１２−（ｂ）は（ａ）から１０°上面整畦部３が回転した状況を示す。このとき、支持部材３１の稜線部分が畦上面７０ａを押圧し始め、この稜線部分に押されて下流側の羽根板３２を介して上流側の羽根板３２の張出部３２ｂが押し潰され、畦上面７０ａを（ａ）の状況より大きい圧力で押圧する。この状況では張出部３２ｂにおいて畦上面７０ａに接触している羽根板３２の上流側に位置する羽根板３２の先端部３２ｃが畦上面７０ａから離脱しようとしている。
【０１２１】
図１２−（ｃ）は（ｂ）から更に１０°上面整畦部３が回転し、支持部材３１の稜線部分が支持部材３１の中心のほぼ真下に位置し、稜線部分が畦上面７０ａ側に最も接近した状況を示す。このときには支持部材３１の稜線部分が畦上面７０ａに最も接近しているから、（ｂ）に続いて畦上面７０ａを最も大きい圧力で押圧する。（ｂ）から（ｃ）へ移行する過程で、畦上面７０ａに接触している羽根板３２の上流側にある羽根板３２の先端部３２ｃは畦上面７０ａから離脱しているが、上記の通り、張出部３２ｂの周方向の先端部３２ｃは畦上面７０ａ上を滑りながら離脱している。
【０１２２】
図１２−（ｄ）は（ｃ）から更に１０°上面整畦部３が回転し、支持部材３１の稜線部分が支持部材３１の中心の真下を通過し、稜線部分が畦上面７０ａを押圧し続けている状況を示す。（ｃ）から（ｄ）へ移行する間が最も畦上面７０ａに大きい圧力を与えるときになる。
【０１２３】
図１２−（ｅ）は（ｄ）から更に１０°上面整畦部３が回転し、（ａ）の状態から累積で４０°回転し、（ａ）の直前の状況に至った様子を示す。このときには、支持部材３１の稜線部分が畦上面７０ａから離れ、側面部分が羽根板３２を介して畦上面７０ａを押圧する状況へ移行しつつある。図５に示す上面整畦部３の支持部材３１は正八角形状であり、内角が１３５°で、外角が４５°であるから、上面整畦部３は中心の回りに４５°回転すれば、（ａ）の状態に復帰する。
【図面の簡単な説明】
【０１２４】
【図１】（ａ）、（ｂ）は法面整畦体に上面整畦部を接合して製作された整畦体を示した斜視図、（ｃ）は（ａ）、もしくは（ｂ）の端面図、（ｄ）は側面図である。
【図２】整畦体の法面整畦部の例を示した斜視図である。
【図３】（ａ）は上面整畦部と法面整畦部との接合例を示した断面図、（ｂ）は（ａ）の鎖線円部分の拡大図、（ｃ）は（ａ）の端面図である。
【図４】正多角柱状の支持部材に羽根板を接合した上面整畦部の構成例を示した端面図である。
【図５】正多角柱状でない支持部材に羽根板を接合した上面整畦部の構成例と畦上面との関係を示した端面図である。
【図６】図１−（ａ）を上面整畦部の中心寄りの位置から見た様子を示した斜視図である。
【図７】図６における上面整畦部と法面整畦部との境界部分を拡大した様子を示した斜視図である。
【図８】（ａ）は上面整畦部の羽根板が畦側に回り込んだときの様子を示した斜視図、（ｂ）は上面整畦部の羽根板によって整形された畦の断面を示した斜視図である。
【図９】上面整畦部の羽根板の表面（畦側の面）を示した斜視図である。
【図１０】（ａ）〜（ｃ）は図７−（ａ）のそれぞれＣ−Ｃ線、Ｂ−Ｂ線、Ａ−Ａ線の断面図である。
【図１１】上面整畦部の羽根板の背面（支持部材側の面）を示した斜視図である。
【図１２】（ａ）〜（ｅ）は図１に示す上面整畦部が畦上面上を転動し、１回転するときの様子を示した端面図である。
【図１３】畦塗り機全体の構成例を示した平面図である。
【図１４】畦塗り機の作業機を示した平面図である。
【符号の説明】
【０１２５】
１……整畦体、
２……法面整畦部、２１……羽根板、２２……連結部、２２ａ……ねじ孔（ボルト７用）、２２ｂ……保持部（羽根板用）、
３……上面整畦部、３１……支持部材、３１ａ……本体部、３１ｂ……補剛板、３１ｃ……挿通孔（ボルト７用）、３１ｄ……ねじ孔（ボルト５用）、
３２……羽根板、３２ａ……接続部、３２ｂ……張出部、３２ｃ……先端部、３２ｄ……移行部、３２ｅ……返し部、３２ｆ……挿通孔、
３３……被係合部、３３ａ……挿通孔、３３ｂ……溝、
４……接合部材、４１……当接部、４２……接合部、４２ａ……挿通孔（ボルト５用）、４３……係合部、４３ａ……軸部、４３ｂ……頭部、
５……ボルト（接合部材４と補剛板３１ｂとの接合用）、
６……芯材、
７……ボルト（上面整畦部３と法面整畦部２の接合用）、
１０……畦塗り機、１１……連結フレーム、１２……ヒッチフレーム、１３……オフセットフレーム、１４……連結材、１５……リンクフレーム、１６……シリンダ、１７……ギアボックス、１８……従動軸、
５０……作業機、５１……駆動ボックス、５２……前処理体、５２ａ……畦切り爪、５３……アーム、５４……作業機用シリンダ、５５……伝動軸、
７０……畦、７０ａ……上面、７０ｂ……法面。
【図１】
2010119319.tif 000003
【図２】
2010119319.tif 000004
【図３】
2010119319.tif 000005
【図４】
2010119319.tif 000006
【図５】
2010119319.tif 000007
【図６】
2010119319.tif 000008
【図７】
2010119319.tif 000009
【図８】
2010119319.tif 000010
【図９】
2010119319.tif 000011
【図１０】
2010119319.tif 000012
【図１１】
2010119319.tif 000013
【図１２】
2010119319.tif 000014
【図１３】
2010119319.tif 000015
【図１４】
2010119319.tif 000016